(57)【要約】【課題】  種菌の供給量をほぼ一定に保ちながら培養基の表面部分に平均的に種菌を接種することのできる簡易型の液状種菌の接種方法とその接種装置を提供すること。【解決手段】  液状種菌噴射機構１２による接種方法として、液状種菌噴射機構１２によって所定の流量を噴射作動を行うための起動スイッチ手段１９の作動時において、栽培容器４が所定の種菌接種領域の位置に存在しているか否かを検出し、その検出結果に基づいて、種菌接種領域に栽培容器４が配置されている時にのみ液状種菌噴射機構１２によって液状種菌Ｂを栽培容器４内の培養基Ｃに接種可能としてなること。【選択図】  図１
2005210988.tif 000002
【特許請求の範囲】
【請求項１】
液状種菌を貯留してなる種菌貯蔵容器から前記液状種菌を供給し、供給された液状種菌を栽培容器内の培養基に噴霧するための噴射ノズルを備えた液状種菌噴射機構によって接種するようにした液状種菌の接種方法において、前記液状種菌噴射機構によって所定の流量を噴射作動を行うための起動スイッチ手段の作動時において、前記栽培容器が所定の種菌接種領域の位置に存在しているか否かを検出し、その検出結果に基づいて、種菌接種領域に栽培容器が配置されている時にのみ前記液状種菌噴射機構によって液状種菌を栽培容器内の培養基に接種可能としてなることを特徴とする液状種菌接種方法。
【請求項２】
液状種菌を貯留してなる種菌貯蔵容器から前記液状種菌を供給し、供給された液状種菌を栽培容器内の培養基に噴霧するための噴射ノズルを備えた液状種菌噴射機構によって接種するようにした液状種菌の接種装置において、前記液状種菌噴射機構によって所定の流量を噴射作動を行うための制御部と、この制御部を作動するための起動スイッチ手段と、前記制御部に接続され、前記栽培容器が所定の種菌接種位置に存在しているか否かを検知する栽培容器位置検出手段とを備え、前記起動スイッチ手段の作動時において、前記栽培容器位置検出手段を介して前記栽培容器が所定の種菌接種領域の位置に存在しているか否かを検出し、その種菌接種領域に栽培容器が配置されている時にのみ前記液状種菌噴射機構によって液状種菌を栽培容器内の培養基に接種してなることを特徴とする液状種菌接種装置。
【請求項３】
前記制御部には、所定の流量を噴射作動するためのタイマー機構を備えてなることを特徴とする請求項２に記載の液状種菌接種装置。
【請求項４】
前記液状種菌噴射機構には、前記栽培容器に対して接近離反移動可能とする噴射機構昇降手段を備えてなることを特徴とする請求項２に記載の液状種菌接種装置。
【請求項５】
前記噴射機構昇降手段による昇降作動に応じた前記液状種菌噴射機構の所定の停止位置にて、前記栽培容器内の培養基に液状種菌を噴霧して接種してなることを特徴とする請求項４に記載の液状種菌接種装置。
【請求項６】
種菌接種領域の位置にて前記栽培容器を載せる載置台を設けるとともに、この載置台には前記液状種菌接種機構に対して接近離反移動可能とする栽培容器昇降手段を備えてなることを特徴とする請求項２に記載の液状種菌接種装置。
【請求項７】
前記栽培容器昇降手段による昇降作動に応じた前記載置台の所定の停止位置にて、前記栽培容器内の培養基に液状種菌を噴霧して接種してなることを特徴とする請求項６に記載の液状種菌接種装置。
【請求項８】
前記液状種菌噴射機構として、前記栽培容器内の培養基の床面位置を主体に液状種菌を接種する広角噴射ノズルを備えた液状種菌広角噴射機構と、前記栽培容器内の培養基の床面位置に穿設された植菌孔位置を主体に液状種菌を接種する挟角噴射ノズルを備えた液状種菌挟角噴射機構との２種類を独立して配設してなることを特徴とする請求項２から請求項７のいずれか１項に記載の液状種菌接種装置。
【発明の詳細な説明】
【技術分野】
【０００１】
本発明は、きのこ栽培容器内に充填した培養基にきのこの種菌を接種する種菌接種方法およびその接種装置に関する。
【背景技術】
【０００２】
従来、大鋸屑や米ぬかなどを主成分に栄養源を配合した培養基を用いてきのこ類を人工栽培する方法としては、培養基を栽培容器に充填して殺菌処理し、その充填した栽培容器の中にエノキダケ，マイタケなどのきのこ類の種菌を接種した後に、栽培容器の口部に蓋を被せて閉塞し、予め決められた温度，湿度条件下で菌を培養して栽培する方法などが行われている。
【０００３】
この接種装置にあっては、一般的に種菌自体は大鋸屑や米ぬかなどを主成分として栄養源を配合した培養基に種菌を種菌瓶内にて繁殖させているものであり、種菌が収容された種菌瓶を逆さ状態にして本体フレーム側に装着し、この状態で種菌瓶を回転させるとともに、この種菌瓶の口部から掻き出し刃を設けた掻き出し軸を回転させながら種菌瓶内に挿入し、その掻き出し軸を回転させつつ徐々に上昇させながら掻き出し刃によって種菌を掻き出し、ホッパーなどを介して栽培容器内に掻き出された種菌を充填するように構成している。
【０００４】
また上記従来技術においては、種菌の充填量は一般的に栽培するきのこの種類によって前記掻き出し軸の回転時間を設定しているため、逆さにセットされた種菌瓶の口部の外径寸法と胴部の外径寸法の差によって種菌の掻き出し量が異なってしまうことがあったり、また種菌瓶内の種菌自体が固形状であるため、種菌の掻き出しの際に掻き出される種菌（大鋸屑）の大きさがばらつくことがあり、この結果、種菌の充填量にばらつきが生じることがあり、特に種菌の充填量が所定量以下であった場合、種菌の菌糸が栽培容器内に繁殖しづらく培養日数がかかってしまうことが予想される。
【０００５】
これを避けるために、固形状の種菌に変えて、液体状の種菌を用いて接種する種菌接種装置が提案されている。この場合、液体状の種菌接種方法あるいは液体状の接種装置にあっては、種菌容器内に収容されている液体状の種菌を栽培容器内に一定量供給するようにしているため、ばらつきもなく種菌の充填量がほぼ一定に保つことができるという利点がある。このような液状種菌接種装置として、本願出願人もたとえば、特許文献１や特許文献２などを提案している。この場合、特許文献１や特許文献２などにおける液体状の種菌接種方法あるいは液体状の接種装置にあっては、種菌容器内に収容されている液体状の種菌を栽培容器内に一定量供給するようにしているため、ばらつきもなく種菌の充填量がほぼ一定に保つことができるという利点がある。しかもコンテナ内に栽培瓶を縦横に収容した状態にて連続的に接種することができるため大量生産を進める上では有益である。
【特許文献１】特開２００２−１２５４６１号公報
【特許文献２】特開２００２−１８６３５４号公報
【発明の開示】
【発明が解決しようとする課題】
【０００６】
ところで、上述した液体状の種菌接種装置などにあっては、自動化に伴い大量生産を行う上では有益ではあるものの、接種数量も比較的に少なく小ロットで行う際には接種装置が大がかりとなり不向きの点がある。また一般的に種菌の種類によっても異なるが、栽培容器内に充填された培養基の表面部分には、その中央部分に培養基の上面から底に向けて植菌孔を設けることによって培養基中での菌まわりを良くしたり、培養基自体の通気性を良くしたり、栽培容器から種菌を接種した際に培養基の底部まで種菌が行き渡り易くする目的で行ってはいるが、前述の液体状の種菌を接種する方法あるいは接種装置では、培養基の表面部分である床面と植菌孔とに液状種菌が行き渡りにくいことがある。
【０００７】
そこで本発明は、前述の問題点に着目してなされたものであって、小ロットで数量が少ない場合であったとしても扱いやすく、種菌の供給量をほぼ一定に保ちながら培養基の表面部分に平均的に種菌を接種することのできる簡易型の液状種菌の接種方法とその接種装置を提供することを目的とする。
【課題を解決するための手段】
【０００８】
本発明は、前述した課題を解決するため、請求項１では、液状種菌を貯留してなる種菌貯蔵容器から前記液状種菌を供給し、供給された液状種菌を栽培容器内の培養基に噴霧するための噴射ノズルを備えた液状種菌噴射機構によって接種するようにした液状種菌の接種方法において、前記液状種菌噴射機構によって所定の流量を噴射作動を行うための起動スイッチ手段の作動時において、前記栽培容器が所定の種菌接種領域の位置に存在しているか否かを検出し、その検出結果に基づいて、種菌接種領域に栽培容器が配置されている時にのみ前記液状種菌噴射機構によって液状種菌を栽培容器内の培養基に接種可能としてなることを特徴とする液状種菌接種方法である。
【０００９】
また本発明では、前述した課題を解決するため、請求項２では、液状種菌を貯留してなる種菌貯蔵容器から前記液状種菌を供給し、供給された液状種菌を栽培容器内の培養基に噴霧するための噴射ノズルを備えた液状種菌噴射機構によって接種するようにした液状種菌の接種装置において、前記液状種菌噴射機構によって所定の流量を噴射作動を行うための制御部と、この制御部を作動するための起動スイッチ手段と、前記制御部に接続され、前記栽培容器が所定の種菌接種位置に存在しているか否かを検知する栽培容器位置検出手段とを備え、前記起動スイッチ手段の作動時において、前記栽培容器位置検出手段を介して前記栽培容器が所定の種菌接種領域の位置に存在しているか否かを検出し、その種菌接種領域に栽培容器が配置されている時にのみ前記液状種菌噴射機構によって液状種菌を栽培容器内の培養基に接種してなることを特徴とする液状種菌接種装置である。
【００１０】
また請求項３では、請求項２に記載の液状種菌接種装置において、前記制御部には、所定の流量を噴射作動するためのタイマー機構を備えてなることを特徴とするものである。
【００１１】
また請求項４では、請求項２に記載の液状種菌接種装置において、前記液状種菌噴射機構には、前記栽培容器に対して接近離反移動可能とする噴射機構昇降手段を備えてなることを特徴とするものである。
【００１２】
また請求項５では、請求項４に記載の液状種菌接種装置において、前記噴射機構昇降手段による昇降作動に応じた前記液状種菌噴射機構の所定の停止位置にて、前記栽培容器内の培養基に液状種菌を噴霧して接種してなることを特徴とするものである。
【００１３】
また請求項６では、請求項２に記載の液状種菌接種装置において、種菌接種領域の位置にて前記栽培容器を載せる載置台を設けるとともに、この載置台には前記液状種菌接種機構に対して接近離反移動可能とする栽培容器昇降手段を備えてなることを特徴とするものである。
【００１４】
また請求項７では、請求項６に記載の液状種菌接種装置において、前記栽培容器昇降手段による昇降作動に応じた前記載置台の所定の停止位置にて、前記栽培容器内の培養基に液状種菌を噴霧して接種してなることを特徴とするものである。
【００１５】
また請求項８では、請求項２から請求項７のいずれか１項に記載の液状種菌接種装置において、前記液状種菌噴射機構として、前記栽培容器内の培養基の床面位置を主体に液状種菌を接種する広角噴射ノズルを備えた液状種菌広角噴射機構と、前記栽培容器内の培養基の床面位置に穿設された植菌孔位置を主体に液状種菌を接種する挟角噴射ノズルを備えた液状種菌挟角噴射機構との２種類を独立して配設してなることを特徴とするものである。
【発明の効果】
【００１６】
本発明では、小ロットで数量が少ない場合であったとしても、その接種作業工程において、液状種菌噴射機構によって所定の流量を噴射作動を行うための起動スイッチ手段の作動時に、栽培容器が所定の種菌接種領域の位置に存在しているか否かを検出し、その検出結果に基づいて、種菌接種領域に栽培容器が配置されている時にのみ液状種菌噴射機構によって液状種菌を栽培容器内の培養基に接種可能としてなる簡易型の液状種菌接種方法およびその接種装置を提供することが可能となり、これにより初期の目的を達成することができる。
【発明を実施するための最良の形態】
【００１７】
本発明の請求項１では、液状種菌を貯留してなる種菌貯蔵容器から前記液状種菌を供給し、供給された液状種菌を栽培容器内の培養基に噴霧するための噴射ノズルを備えた液状種菌噴射機構によって接種するようにした液状種菌の接種方法において、前記液状種菌噴射機構によって所定の流量を噴射作動を行うための起動スイッチ手段の作動時において、前記栽培容器が所定の種菌接種領域の位置に存在しているか否かを検出し、その検出結果に基づいて、種菌接種領域に栽培容器が配置されている時にのみ前記液状種菌噴射機構によって液状種菌を栽培容器内の培養基に接種可能としてなることを特徴とする液状種菌接種方法である。また本発明の請求項２では、液状種菌を貯留してなる種菌貯蔵容器から前記液状種菌を供給し、供給された液状種菌を栽培容器内の培養基に噴霧するための噴射ノズルを備えた液状種菌噴射機構によって接種するようにした液状種菌の接種装置において、前記液状種菌噴射機構によって所定の流量を噴射作動を行うための制御部と、この制御部を作動するための起動スイッチ手段と、前記制御部に接続され、前記栽培容器が所定の種菌接種位置に存在しているか否かを検知する栽培容器位置検出手段とを備え、前記起動スイッチ手段の作動時において、前記栽培容器位置検出手段を介して前記栽培容器が所定の種菌接種領域の位置に存在しているか否かを検出し、その種菌接種領域に栽培容器が配置されている時にのみ前記液状種菌噴射機構によって液状種菌を栽培容器内の培養基に接種してなることを特徴とする液状種菌接種装置である。このように構成することによって、液状種菌を噴霧するための起動スイッチ手段の作動時において、栽培容器が所定の種菌接種位置に存在しない場合あるいは所定位置から懸け離れた位置へと設置位置がずれていた場合、起動スイッチ手段を作動させたとしても液状種菌噴射機構から液状種菌が噴射されることがないため、栽培容器の培養基以外の箇所、たとえば栽培容器の廻りに誤って噴霧してしまうといった問題も未然に防ぐことができ、これにより種菌接種装置の汚れを防ぐことができるため、雑菌の繁殖も極力抑えることができるという効果もある。
【００１８】
また、前記制御部には、所定の流量を噴射作動するためのタイマー機構を備えてなることを特徴とするものであり、所定の流量をタイマー機構の設定により、栽培瓶や栽培袋などからなる栽培容器内の培養基の容量や形態あるいは培養基の媒質や湿り気度合いまたは液状種菌の種類などに応じて種菌の充填接種量をほぼ一定に接種することができ、安定した接種工程作業を行うことができる。（請求項３）
【００１９】
また、前記液状種菌噴射機構には、前記栽培容器に対して接近離反移動可能とする噴射機構昇降手段を備えてなることを特徴とするものであり、また前記噴射機構昇降手段による昇降作動に応じた前記液状種菌噴射機構の所定の停止位置にて、前記栽培容器内の培養基に液状種菌を噴霧して接種してなることを特徴とするものであり、これにより栽培容器の培養基と対峙して液状種菌を所定の位置に噴霧することができる。（請求項４および請求項５）
【００２０】
また、種菌接種領域の位置にて前記栽培容器を載せる載置台を設けるとともに、この載置台には前記液状種菌接種機構に対して接近離反移動可能とする栽培容器昇降手段を備えてなることを特徴とするものであり、また前記栽培容器昇降手段による昇降作動に応じた前記載置台の所定の停止位置にて、前記栽培容器内の培養基に液状種菌を噴霧して接種してなることを特徴とするものであり、これにより載置台上に載せられた栽培容器が液状種菌接種機構と所定の間隔にて対峙した状態にて液状種菌を噴霧することができる。（請求項６および請求項７）
【００２１】
また、前記液状種菌噴射機構として、前記栽培容器内の培養基の床面位置を主体に液状種菌を接種する広角噴射ノズルを備えた液状種菌広角噴射機構と、前記栽培容器内の培養基の床面位置に穿設された植菌孔位置を主体に液状種菌を接種する挟角噴射ノズルを備えた液状種菌挟角噴射機構との２種類を独立して配設してなることにより、栽培容器内に培養基の表面部分である床面部分を広角噴射ノズルを備えた液状種菌広角噴射機構によって所定の位置に液状種菌を接種することができとともに、挟角噴射ノズルを備えた液状種菌挟角噴射機構による種菌接種領域に栽培容器を載置することによって、栽培容器内の培養基の表面部分に穿設した植菌孔箇所を液状種菌挟角噴射機構の挟角噴射ノズルによって所定の位置に液状種菌を接種することができ、これにより栽培容器内の培養基の表面部分である床面部分とその床面部分の一部を窪ませて穿設した植菌孔箇所とのそれぞれの箇所を別個に独立して設けた液状種菌広角噴射機構と液状種菌挟角噴射機構とによって満遍なく接種することができ、安定した接種工程作業を行うことができる。（請求項８）
【実施例１】
【００２２】
以下、本発明に係る液状種菌接種装置の第１実施例を図１から図３を参照にして説明する。図１は液状種菌を貯留した種菌貯蔵容器とその液状種菌を接種する接種機とからなる液状種菌接種装置の全体構成概略図を示すもので、液状種菌Ｂは金属製の種菌貯蔵容器１内に培養貯留されており、この種菌貯蔵容器１と液状種菌接種機２との間を耐熱・耐圧性のチューブからなる種菌供給管路３を介して連結するとともに、液状種菌Ｂの接種時においては、種菌貯蔵容器１内の液状種菌Ｂを加圧して液状種菌接種機２側へと供給するように構成している。
【００２３】
また液状種菌接種機２によって接種される培養基Ｃを充填した栽培容器４としては、この第１実施例では、丸形の栽培瓶からなる栽培容器４の内部に、大鋸屑や米ぬかなどを主体とした培養基Ｃが押し固められて充填されている。
【００２４】
前記液状種菌接種機２としては、液状種菌接種機２の本体プレート５上には栽培容器４内の培養基Ｃに接種するために、その栽培容器４を所定の種菌接種領域位置にセットするための位置合わせ規制板６が取り付け固定されており、この位置合わせ規制板６と隣接して栽培容器位置検出手段となる検出スイッチ７が配置されている。この場合、検出スイッチ７として押圧スイッチからなるもので、その先端部に押圧によって前後動するプレート８が取り付け固定されている。
【００２５】
また液状種菌接種機２の本体プレート５の上方側に位置した取付部材９側には、種菌接種領域にて栽培容器４内の培養基Ｃに液状種菌Ｂを噴霧して接種する噴射ノズル１０を先端側に備えた液状種菌噴射シリンダ本体１１からなる液状種菌噴射機構１２が取り付け固定されて配置されている。この場合、位置合わせ規制板６によって栽培容器４が位置規制されながら種菌接種領域に供給された栽培容器４内の培養基Ｃに対して、その栽培容器４のセンター位置や栽培容器４の高さ位置などに合わせて取り付け位置を調整可能とする固定部材１３が設けられている。
【００２６】
また種菌貯蔵容器１から液状種菌Ｂを前記チューブからなる種菌供給管路３を介して液状種菌噴射機構１２側へと加圧して供給するために、この実施例ではコンプレッサーなどからなる液状種菌加圧手段１４によってエアフィルタ１５を介して種菌貯蔵容器１内にエア圧を加えるように構成している。また前記液状種菌加圧手段１４によって加圧供給された液状種菌Ｂは、液状種菌噴射機構１２により栽培容器４内の培養基Ｃに噴射されて接種されるが、液状種菌噴射機構１２に装備されているシリンダ本体１１内に配設された電磁ソレノイドの作用で作動する噴射開閉弁１６の往復作動によって前記種菌貯蔵容器１から種菌供給管路３を介して圧送されてきた液状種菌Ｂの供給，遮断が行われるように構成している。
【００２７】
この際、図１に示すように液状種菌接種機２の各機構を制御する主たる制御部１７を介して液状種菌噴射機構１２に設けられている電磁弁である噴射開閉弁１６の開放時間を所定時間に設定したり、あるいは液状種菌Ｂの流量が所定の量となったところで噴射開閉弁１６を遮断することにより液体種菌Ｂの接種量を適正な状態に設定することができるように構成している。
【００２８】
すなわち、電磁ソレノイドへのオン・オフの切換作動に伴い、噴射開閉弁１６を切換作動して液状種菌Ｂを接種する流量あるいは接種時間を設定する制御部１７を液状種菌接種機２の操作パネル上に設けてなることにより、栽培容器４内の培養基Ｃの容量や形態あるいは培養基Ｃの媒質や種類などに応じて液状種菌Ｂの接種充填量を制御部１７を介して任意に調節して設定することができ、ばらつきもなく液状種菌Ｂの充填量をほぼ一定量に保つことができ、安定した接種工程作業を行うことができるように構成している。
【００２９】
また制御部１７には、その入力手段として液状種菌接種装置の電源をオン・オフするための主電源スイッチ１８やその電源スイッチ１８とは別に液状種菌接種装置を運転作動させる運転開始・運転停止スイッチ（起動スイッチ手段）などの運転操作スイッチ１９が接続されている。この実施例では、運転操作スイッチ１９としてフットスイッチを適用しており、所定の種菌接種領域位置への栽培容器４の供給作業を手作業にて行いつつ、フットスイッチからなる運転操作スイッチ１９の作動を足の操作で行うことができるように構成している。
【００３０】
また起動スイッチ手段である運転操作スイッチ１９の作動時において、栽培容器位置検出手段である検出スイッチ７（押圧スイッチ）を介して栽培容器４が所定の種菌接種領域の位置に存在しているか否かを検出し、その検出結果に基づき種菌接種領域に栽培容器４が配置されている時にのみ制御部１７を介して液状種菌噴射機構１２の噴射ノズル１０によって液状種菌Ｂを栽培容器４内の培養基Ｃに接種するように構成している。
【００３１】
従って、上記構成からなる液状種菌接種装置にあっては、液状種菌接種装置の電源をオン状態とするために主電源スイッチ１８を作動し、次いで液状種菌Ｂを噴霧するための起動スイッチ手段である運転操作スイッチ１９の作動時において、栽培容器４を液状種菌接種機２の本体プレート５上に載せて種菌接種位置に送り込んだ際、栽培容器４が位置合わせ規制板６に沿って所定の種菌接種位置へと送り込まれると、図２に示すように栽培容器位置検出手段である押圧スイッチからなる検出スイッチ７のプレート８が押圧されて作動し、この検出スイッチ７の検出信号に基づいて噴射開閉弁１６が所定の時間作動して開放し、液状種菌噴射機構１２の噴射ノズル１０から液状種菌Ｂが噴射され、栽培容器４内の培養基Ｃに所定量の液状種菌Ｂが接種される。
【００３２】
また栽培容器４を液状種菌接種機２の本体プレート５上に載せて種菌接種位置に送り込んだ際に、栽培容器４の供給した位置が位置合わせ規制板６から懸け離れた位置、すなわち通常の液状種菌接種領域から外れてしまった場合などにおいては、図３に示すように栽培容器位置検出手段である押圧スイッチからなる検出スイッチ７が作動することがなく、これにより起動スイッチ手段である運転操作スイッチ１９を作動させたとしても液状種菌噴射機構１２から液状種菌Ｂが噴射されることがないため、栽培容器４の培養基Ｃ以外の箇所、たとえば栽培容器４の廻りに誤って噴霧してしまうといった問題も未然に防ぐことができ、これにより種菌接種装置の汚れを防ぐことができ、雑菌の繁殖も極力抑えることができるという効果がある。
【００３３】
また制御部１７には、たとえば所定の流量を噴射作動するためのタイマー機構１７Ａを備えてなることにより、所定の流量をタイマー機構１７Ａの設定により、栽培容器４内の培養基Ｃの容量や形態あるいは培養基Ｃの媒質や湿り気度合いまたは液状種菌Ｂの種類などに応じて種菌Ｂの充填接種量をほぼ一定に接種することができ、安定した接種工程作業を行うことができるという効果がある。
【００３４】
また、図４から図６は本願発明の第２実施例を示すものであり、前述した第１実施例の液状種菌を貯留した種菌貯蔵容器とその液状種菌を接種する接種機とからなる液状種菌接種装置の基本的な構成およびそれに伴う接種工程とは基本形態がほとんど同様に構成するものであるため、変更点を主体にして説明する。
【００３５】
種菌貯蔵容器１から供給され、液状種菌接種機２によって接種される培養基Ｃを充填した栽培容器４としては、この第２実施例では図５や図６に示すように、丸形の栽培瓶からなる栽培容器４の内部に、大鋸屑や米ぬかなどを主体とした培養基Ｃが充填されており、その栽培容器４内に加圧されて充填された培養基Ｃの表面部分である床面Ｃ１には、その中央部分に培養基Ｃの上面から底に向けて植菌孔Ｃ２が設けられている。この植菌孔Ｃ２は培養基Ｃ中での菌まわりをよくするために設けられるもので、培養基Ｃ自体の通気性を良くしたり、栽培容器４から液状種菌Ｂを接種した際に培養基Ｃの底部まで種菌が行き渡り易くする目的で行っている。
【００３６】
従って、この第２実施例においては、液状種菌接種機２の本体プレート５上には、栽培容器４内の培養基Ｃの床面Ｃ１表面位置を主体として噴霧するための広角噴射ノズル１０Ａを先端側に備えた液状種菌噴射シリンダ本体１１からなる液状種菌広角噴射機構１２Ａが配設されるとともに、栽培容器４内の培養基Ｃの床面Ｃ１部分に穿設された植菌孔Ｃ２位置を主体として噴霧するための挟角噴射ノズル１０Ｂを先端側に備えた液状種菌噴射シリンダ本体１１からなる液状種菌挟角噴射機構１２Ｂとが個別に配設されている。
【００３７】
この第２実施例では、噴射ノズルとしては、栽培容器４の培養基Ｃの表面部分である床面Ｃ１箇所を噴霧するための形態として噴霧パターンが円形な充円錐ノズルタイプによる広角噴射ノズル１０Ａを採用しており、また栽培容器４の培養基Ｃの植菌孔Ｃ２箇所を噴霧するための形態として噴霧パターンが円形で挟噴角の充円錐ノズルタイプによる挟角噴射ノズル１０Ｂを採用している。この際、挟角噴射ノズル１０Ｂとしてパイプノズルなどを採用しても良い。
【００３８】
そして広角噴射ノズル１０Ａを備えた液状種菌広角噴射機構１２Ａと、挟角噴射ノズル１０Ｂを備えた液状種菌挟角噴射機構１２Ｂとからなる２種類の液状種菌噴射機構が噴射機構昇降手段であるエアシリンダ２０に連結されて上下方向に往復移動可能に設けられている。すなわち、広角噴射ノズル１０Ａを備えた液状種菌広角噴射機構１２Ａと挟角噴射ノズル１０Ｂを備えた液状種菌挟角噴射機構１２Ｂとからなる２種類の液状種菌噴射機構は、栽培容器４内の培養基Ｃの床面Ｃ１部分と植菌孔Ｃ２に対して上下方向にエアシリンダ２０を介して往復移動可能に設けられ、栽培容器４内の培養基Ｃに対して接近状態にて接種可能に設けて構成している。
【００３９】
また液状種菌広角噴射機構１２Ａと液状種菌挟角噴射機構１２Ｂとの２種類の噴射ターンからなる接種領域位置にそれぞれ対応して位置合わせ規制板６Ａ，６Ｂが設けられており、この位置合わせ規制板６Ａ，６Ｂと隣接して栽培容器位置検出手段となる検出スイッチ７Ａ、７Ｂがそれぞれ配置されている。この場合、検出スイッチ７Ａ，７Ｂとして前述した第１実施例と同様にして押圧スイッチからなるもので、その先端部に押圧によって前後動するプレート８Ａ，８Ｂがそれぞれ取り付け固定されている。
【００４０】
次に第２実施例における液状種菌接種装置の一連の動作を説明する。液状種菌接種装置の主電源スイッチ１８の操作により電源を投入後において、２個の栽培容器４を液状種菌接種機２の本体プレート５上に載せてそれぞれの位置合わせ規制板６Ａ、６Ｂに沿って所定の種菌接種位置へと送り込むとともに起動スイッチ手段である運転操作スイッチ１９を作動することによって、図５，図６に示すように栽培容器位置検出手段である押圧スイッチからなる検出スイッチ７Ａ，７Ｂのそれぞれのプレート８Ａ、８Ｂが押圧されて作動し、これにより広角噴射ノズル１０Ａを備えた液状種菌広角噴射機構１２Ａと、挟角噴射ノズル１０Ｂを備えた液状種菌挟角噴射機構１２Ｂとが制御部１７を介してそれぞれの噴射開閉弁１６を開放作動することによって各噴射ノズル１０Ａ，１０Ｂから液状種菌Ｂが噴射され、栽培容器４内の培養基Ｃに所定量の液状種菌Ｂが接種される。
【００４１】
この接種の際、一方の側では栽培容器４内の培養基Ｃの床面Ｃ１位置を主体に液状種菌Ｂを接種する広角噴射ノズル１０Ａを備え液体種菌広角噴射機構１２Ａによって接種がなされ、また他方の側では栽培容器４の培養基Ｃの床面Ｃ１部分に穿設された植菌孔Ｃ２位置を主体に液状種菌Ｂを接種する挟角噴射ノズル１０Ｂを備えた液体種菌挟角噴射機構１２Ｂによって接種がなされる。従って、栽培容器４の配置をそれぞれ置き換えて再び液状種菌Ｂを接種することにより、それぞれの表面部分、すなわち培養基Ｃの床面Ｃ１位置と培養基Ｃの植菌孔Ｃ２位置とに液状種菌Ｂを満遍なく接種することができるものであり、これにより液状種菌Ｂによる培養基Ｃの内部への菌糸の育成を良好に促すことを可能としている。
【００４２】
また第２実施例では、広角噴射ノズル１０Ａを備えた液状種菌広角噴射機構１２Ａと挟角噴射ノズル１０Ｂを備えた液状種菌挟角噴射機構１２Ｂからなる２種類の液状種菌噴射機構１２は、栽培容器４内の培養基Ｃの床面Ｃ１部分と植菌孔Ｃ２に対して上下方向にエアシリンダ２０を介して往復移動可能に設けられ、栽培容器４内の培養基Ｃに対して接近状態にて接種可能に設けて構成しているため、その接種時には、栽培容器４の培養基Ｃ側に接近した状態にて噴射することによって栽培容器４の廻りに液状種菌Ｂが飛散することを未然に防ぐことが可能となり、これにより雑菌の繁殖を極力抑えることができると言う効果もある。
【００４３】
また栽培容器４を液状種菌接種機２の本体プレート５上に載せて種菌接種位置に送り込んだ際に、栽培容器４の供給した位置が位置合わせ規制板６Ａ、６Ｂから懸け離れた位置へとずれてしまった場合などにあっては、そのずれてしまった側の栽培容器４側には栽培容器位置検出手段である押圧スイッチからなる検出スイッチ７Ａ、７Ｂが作動することがなく、これにより起動スイッチ手段である運転操作スイッチ１９を作動させたとしても液状種菌Ｂが噴射されることがないため、栽培容器４の培養基Ｃ以外の箇所、たとえば栽培容器４の廻りに誤って噴霧してしまうといった問題も未然に防ぐことができ、これにより種菌接種装置の汚れを防ぐことができ、雑菌の繁殖も極力抑えることができる。
【００４４】
また、図７は本願発明の第３実施例を示すものであり、前述した第２実施例では液状種菌広角噴射機構１２Ａと液状種菌挟角噴射機構１２Ｂとを噴射機構昇降手段であるエアシリンダ２０に連結して上下方向に往復移動可能に設けて構成していたが、この第３実施例では、通常の液状種菌接種領域の位置に合わせて栽培容器４を載せる載置台２１を設けるとともに、この載置台２１は噴射ノズル１０を備えた液状種菌接種機構１２に対して接近離反移動可能とする栽培容器昇降手段であるシリンダ２２を連結して構成している。
【００４５】
従って、液状種菌Ｂによる接種時においては、載置台２１をシリンダ２２を介して上昇移動することにより、液状種菌接種機構１２側へと接近した状態にて接種することができるため、栽培容器４の廻りに液状種菌Ｂが飛び散ることによって汚れてしまうという問題も未然に防ぐことができるという効果がある。
【００４６】
なお本発明は上述した実施例に限定されるものでなく本発明の要旨の範囲内において種々の変形実施が可能である。たとえば、第１実施例では、丸形の栽培瓶からなる栽培容器４の培養基Ｃの表面部分に液状種菌噴射機構１２を一定の位置に保持しながら液状種菌Ｂを接種するタイプを示したものであり、また第２実施例では、第１実施例と同様にして丸形の栽培容器４の中央に一つの植菌孔Ｃ２を設け、栽培容器４内の培養基Ｃの床面Ｃ１箇所を主体にして、円形な噴霧パターンとなる充円錐ノズルタイプによる広角噴射ノズル１０Ａを備えた液状種菌広角噴射機構１２Ａによって噴霧する工程と、培養基Ｃの床面Ｃ１部分に穿設された植菌孔Ｃ２箇所を主体にして、噴霧パターンが円形で挟噴角の充円錐ノズルタイプによる挟角噴射ノズル１０Ｂからなる液状種菌挟角噴射機構１２Ｂによって噴霧する工程とによって接種するタイプを示したものであったが、たとえば図示はしないが角形の包装瓶からなる栽培容器４の場合にあっては、噴霧パターンが四角形で充角錐ノズルタイプからなる広角噴射ノズル１０Ａを備えた液体種菌広角噴射機構１２Ａによって栽培容器４内の培養基Ｃの床面Ｃ１箇所を主体に噴霧して接種するとともに、植菌孔Ｃ２箇所に対応した箇所では、噴霧パターンが円形で挟噴角の充円錐ノズルタイプからなる挟角噴射ノズル１０Ｂを先端側に備えた液状種菌挟角噴射機構１２Ｂによって栽培容器４内の培養基Ｃの床面Ｃ１部分に穿設された植菌孔Ｃ２箇所を主体に噴霧して接種することも可能であり、また各実施例では、培養基Ｃを収納する栽培容器４として丸形の栽培瓶を例にして説明したが、その栽培容器４として合成樹脂製などの丸形の栽培袋や角形の栽培袋や角形の栽培瓶などを用いることも可能である。
【００４７】
また培養基Ｃに対して接近した状態にて接種する手段として、第２実施例においては、液状種菌噴射機構１２（液状種菌広角噴射機構１２Ａと液状種菌挟角噴射機構１２Ｂ）を噴射機構昇降手段となるエアシリンダ２０によって上下方向に往復移動可能に設けて構成したり、あるいは第３実施例では、栽培容器４を載置する載置台２１を栽培容器昇降手段となるシリンダ２２によって上下方向に往復移動可能に設けて構成していたが、モータなどの駆動手段であってもよいものであり、その伝達手段としてカム機構やクランク機構あるいはラックとピニオンなどを用いて作動するようにしてもよい。
【００４８】
また包装袋あるいは栽培瓶などからなる栽培容器４の高さ寸法，大きさ，位置関係などに合わせて噴射ノズル１０のセット位置を調整移動可能に設けて構成したり、また培養基Ｃの表面積や表面形状あるいは植菌孔Ｃ２の大きさや深さなどに合わせて噴射ノズル１０による液状種菌Ｂの噴射流量や噴射位置などを設定したり、あるいは所定の噴霧パターンとなるように設定された噴射ノズル１０を配設することにより、栽培容器４内に充填された培養基Ｃの表面部分に接種される液状種菌Ｂの噴射による流量分布を適量に設定することができ、これにより、栽培容器４内に充填された培養基Ｃの表面全体にほぼ均一的に種菌が行き渡ることとなり、栽培容器４内に液状種菌Ｂを良好に噴射させて接種することができるものである。
【００４９】
なお、実施例においては、噴射開閉弁１６の作動切り換えとして、電磁制御などによって行っていたが、空圧制御、油圧制御あるいはカム機構による往復動によって切り換えるようにしてもよいものである。
【産業上の利用可能性】
【００５０】
また、前述した実施例などにおいて詳述したように、栽培瓶に限らず包装袋からなる栽培容器などにおいても適用することが可能な簡易型の液状種菌接種方法およびその接種装置を提供することができる。
【図面の簡単な説明】
【００５１】
【図１】図１は、本発明の第１実施例を示す液状種菌接種装置の全体構成概要図である。
【図２】図２は、第１実施例における通常の接種状態を示す平面と側面から見たそれぞれの動作説明図である。
【図３】図３は、第１実施例における接種領域から外れた状態を示す平面と側面から見たそれぞれの動作説明図である。
【図４】図４は、本発明の第２実施例を示す液状種菌接種装置の全体構成概要図である。
【図５】図５は、第２実施例における液状種菌接種機の液状種菌広角噴射機構による通常の接種状態を示す平面と側面から見たそれぞれの動作図である。
【図６】図６は、第２実施例における液状種菌接種機の液状種菌挟角噴射機構による通常に接種状態を示す平面と側面から見たそれぞれの動作図である。
【図７】図７は、本発明の第３実施例における液状種菌接種機の動作状態を示す要部の断面図である。
【符号の説明】
【００５２】
Ｂ      液状種菌
Ｃ      培養基
Ｃ１    床面
Ｃ２    植菌孔
Ｐ      エアー供給源（コンプレッサー）
１      種菌貯蔵容器
２      液状種菌接種機
３      種菌供給管路
４      栽培容器
５      本体プレート
６      位置合わせ規制板
７，７Ａ，７Ｂ  検出スイッチ（栽培容器検出手段）
８      プレート
９      取付部材
１０      噴射ノズル
１０Ａ    広角噴射ノズル
１０Ｂ    挟角噴射ノズル
１１      液状種菌噴射シリンダ本体
１２      液状種菌噴射機構
１２Ａ    液状種菌広角噴射機構
１２Ｂ    液状種菌挟角噴射機構
１３      固定部材
１４      液状種菌加圧手段（コンプレッサー）
１５      エアフィルタ
１６      噴射開閉弁
１７      制御部
１７Ａ    タイマー機構
１８      主電源スイッチ
１９      運転操作スイッチ（起動スイッチ手段）
２０      エアシリンダ（噴射機構昇降手段）
２１      載置台
２２      シリンダ（栽培容器昇降手段）
【図１】
2005210988.tif 000003
【図２】
2005210988.tif 000004
【図３】
2005210988.tif 000005
【図４】
2005210988.tif 000006
【図５】
2005210988.tif 000007
【図６】
2005210988.tif 000008
【図７】
2005210988.tif 000009